【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
紡機の牽伸システムに対して送給された複数本のスライバにおけるパラメータを検出する装置であって、上記パラメータは各スライバにおいて別個に測定可能であり、各スライバはスライバ用ケンスから夫々の被動供給ローラ上へと引出されると共に上記牽伸システムに送給されて触覚要素により機械的に検知され、該触覚要素の偏向は電気信号へと変換可能であると共に該触覚要素は自身に関係付けられたセンサ要素を有するという装置において、
各触覚要素（９；９ａ〜９ｆ、１９；１９ａ、１９ｂ、１９ｃ）の位置を検出する非接触式距離センサ（２０；２０ａ〜２０ｆ）が設けられており、これら非接触式距離センサ（２０；２０ａ〜２０ｆ）は電気的評価デバイス（３８）に接続されることを特徴とする、装置。
【請求項２】
前記距離センサは、波または光線を用いて距離を測定するセンサであることを特徴とする、請求項１記載の装置。
【請求項３】
前記距離センサは光学的または音響的な距離測定センサであることを特徴とする、請求項１に記載の装置。
【請求項４】
超音波距離センサが距離センサとして使用されることを特徴とする、請求項１に記載の装置。
【請求項５】
光線または音線が焦点合わせされることを特徴とする、請求項３に記載の装置。
【請求項６】
前記距離センサは光走査器であることを特徴とする、請求項１に記載の装置。
【請求項７】
前記距離センサは送信器および受信器から成ることを特徴とする、請求項１に記載の装置。
【請求項８】
前記距離センサはレーザ走査器であることを特徴とする、請求項１に記載の装置。
【請求項９】
前記距離センサは可視光線を使用することを特徴とする、請求項１に記載の装置。
【請求項１０】
前記距離センサは赤外光を使用することを特徴とする、請求項１に記載の装置。
【請求項１１】
前記距離センサは前記触覚要素までの距離を決定することを特徴とする、請求項１乃至１０のいずれか一項に記載の装置。
【請求項１２】
前記距離センサは、前記触覚要素と組み合わされた対向要素までの距離を決定することを特徴とする、請求項１乃至１１のいずれか一項に記載の装置。
【請求項１３】
前記距離センサは固定され、前記対向要素は該距離センサに対して運動可能であることを特徴とする、請求項１乃至１２のいずれか一項に記載の装置。
【請求項１４】
前記距離センサは運動可能であり、前記対向要素は該距離センサに対して固定されることを特徴とする、請求項１乃至１２のいずれか一項に記載の装置。
【請求項１５】
前記対向要素は平坦な走査表面を有することを特徴とする、請求項１乃至１４のいずれか一項に記載の装置。
【請求項１６】
前記対向要素は円滑な走査表面を有することを特徴とする、請求項１乃至１４のいずれか一項に記載の装置。
【請求項１７】
前記対向要素は湾曲した走査表面を有することを特徴とする、請求項１乃至１４のいずれか一項に記載の装置。
【請求項１８】
前記走査表面は反射的であることを特徴とする、請求項１５乃至１７のいずれか一項に記載の装置。
【請求項１９】
前記評価デバイスは開ループ／閉ループ制御デバイスに接続されることを特徴とする、請求項１乃至１８のいずれか一項に記載の装置。
【請求項２０】
前記距離センサはアナログ・センサであることを特徴とする、請求項１に記載の装置。
【請求項２１】
前記信号は測定点から評価デバイスまで光学的導波路を用いて導かれることを特徴とする、請求項１乃至２０のいずれか一項に記載の装置。
【請求項２２】
前記距離センサは可動触覚舌部の偏位を走査することを特徴とする、請求項１乃至２１のいずれか一項に記載の装置。
【請求項２３】
前記距離センサは可動触覚ローラの偏位を走査することを特徴とする、請求項１乃至２２のいずれか一項に記載の装置。
【請求項２４】
前記距離センサは前記触覚舌部または前記触覚ローラの偏位を直接的または間接的に走査することを特徴とする、請求項１乃至２３のいずれか一項に記載の装置。
【請求項２５】
当該装置はスライバの破断を確認して表示するために使用されることを特徴とする、請求項１乃至２４のいずれか一項に記載の装置。
【請求項２６】
当該装置はスライバの運動を確認または表示するために使用されることを特徴とする、請求項１乃至２５のいずれか一項に記載の装置。
【請求項２７】
前記距離センサは、長寸であって撚り合わせられていない繊維束のパラメータを決定するために使用されることを特徴とする、請求項１乃至２６のいずれか一項に記載の装置。
【請求項２８】
前記距離センサは、連続的に移動する繊維束によるパラメータを測定するために使用されることを特徴とする、請求項１乃至２７のいずれか一項に記載の装置。
【請求項２９】
前記スライバの質量に対して決定された値は、前記繊維束が練篠されつつある紡績用前処理機の少なくとも一個の牽伸要素を制御することによって上記繊維束のスライバ質量変動を調節するために使用されることを特徴とする、請求項１乃至２８のいずれか一項に記載の装置。
【請求項３０】
前記触覚要素は固定された回動軸受上に取付けられることを特徴とする、請求項１乃至２９のいずれか一項に記載の装置。
【請求項３１】
前記触覚要素は回動可能取付けられたレバーであることを特徴とする、請求項３０に記載の装置。
【請求項３２】
前記触覚要素は、力付与要素と協働することを特徴とする、請求項３０または３１に記載の装置。
【請求項３３】
前記触覚要素は水平方向に可動であるべく取付けられることを特徴とする、請求項３０乃至３２のいずれか一項に記載の装置。
【請求項３４】
前記触覚要素は一端にて弾性的に取付けられることを特徴とする、請求項３０乃至３３のいずれか一項に記載の装置。
【請求項３５】
前記触覚要素は、保持部材上に取付けられることを特徴とする、請求項３１乃至３４のいずれか一項に記載の装置。
【請求項３６】
前記触覚要素は鉛直軸心の回りで回動可能に取付けられることを特徴とする、請求項３０乃至３５のいずれか一項に記載の装置。
【請求項３７】
可動的に取付けられた前記触覚要素は、機械的、電気的、油圧的または空気的な手段により付勢されると共に調節可能とされ得ることを特徴とする、請求項３０乃至３６のいずれか一項に記載の装置。
【請求項３８】
複数個の距離センサが配備され、その各々は触覚要素によってスライバの太さを走査することを特徴とする、請求項１乃至３７のいずれか一項に記載の装置。
【請求項３９】
前記スライバは、入力部分において紡績用ケンスから複数の被動送給ローラ上へと引出されて、被動牽伸システムへと搬送されることを特徴とする、請求項１乃至３８のいずれか一項に記載の装置。
【請求項４０】
前記送給ローラは固定されることを特徴とする、請求項３９に記載の装置。
【請求項４１】
各送給ローラ上には運動可能または偏向可能な共回転ローラが位置することを特徴とする、請求項３９または４０に記載の装置。
【請求項４２】
前記運動可能なローラは回転式レバーにより回転式軸受上に取付けられることを特徴とする、請求項４１に記載の装置。
【請求項４３】
前記距離センサは前記運動可能なローラおよび／または少なくとも一本の回転式レバーの偏向を検出し得ることを特徴とする、請求項４２に記載の装置。
【請求項４４】
前記距離センサと共に前記触覚要素は前記ケンスの出力部に配備されることを特徴とする、請求項１乃至４３のいずれか一項に記載の装置。
【請求項４５】
前記距離センサと共に前記触覚要素は前記ケンスからスライバを取出す配置機構の一部を形成することを特徴とする、請求項１乃至４３のいずれか一項に記載の装置。
【請求項４６】
前記共回転ローラは自身の重量下で前記送給ローラ上に位置することを特徴とする、請求項３９に記載の装置。
【請求項４７】
前記評価デバイスは多重チャネル評価デバイスから成ることを特徴とする、請求項１乃至４６のいずれか一項に記載の装置。
【請求項４８】
各距離センサは個別に停止切換えされるべく配置されることを特徴とする、請求項１乃至４７のいずれか一項に記載の装置。
【請求項４９】
前記送給ローラと前記共回転ローラとの２つの円筒状周囲表面の間にはローラ・ニップが在ることを特徴とする、請求項４１に記載の装置。
【請求項５０】
前記繊維束を搬送するときに前記共回転ローラは持続的に揺動することを特徴とする、請求項４９に記載の装置。